(57)【要約】【課題】簡易な方法により防水処理を行うことができ、しかも作業工数及びコストを低減することができる建物ユニットの外壁取付部の防水構造を提供する。【解決手段】建物ユニット１２の屋外側に取り付けられる第１外壁材３６と、建物ユニット１２の躯体フレーム２０の屋外側に配置されると共に躯体フレーム２０の外側面から屋外側へ向けて突出されたブラケット５０と、第１外壁材３６に設けられ、建物ユニット１２に第１外壁材３６が取り付けられる際にブラケット５０が挿入される開口部５６と、伸長可能なブチルテープ７２（基材）を用いて形成され、粘着層が設けられた外周部７０Ｙが第１外壁材３６の屋内側の面に接着され、開口部５６を覆って屋外から第１外壁材３６の屋内側への水の浸入を防止する防水テープ７０と、を備えている。【選択図】図５
2019078087.tif 000002
【特許請求の範囲】
【請求項１】
建物ユニットの躯体フレームの屋外側に配置されると共に前記躯体フレームの外側面から前記屋外側へ向けて突出されたブラケットと、
前記建物ユニットの前記躯体フレームの前記屋外側に取り付けられる外壁と、
前記外壁に設けられ、前記建物ユニットに前記外壁が取り付けられる際に前記ブラケットが挿入される開口部と、
伸長可能な基材を用いて形成され、粘着層が設けられた前記基材の外周部が前記外壁の屋内側の面に接着され、前記開口部を覆って屋外から前記外壁の前記屋内側への水の浸入を防止する防水テープと、
を備えた建物ユニットの外壁取付部の防水構造。
【請求項２】
前記防水テープは、前記開口部に挿入された前記ブラケットが当接する前記外周部の内側部分である中央部に、当該当接する部分と略同一形状を有する伸縮抑制フィルムが配置されることで構成されている請求項１に記載の建物ユニットの外壁取付部の防水構造。
【請求項３】
前記伸縮抑制フィルムには、熱可塑性樹脂が用いられる請求項２に記載の建物ユニットの外壁取付部の防水構造。
【請求項４】
前記防水テープの基材には、伸長可能なブチルテープが用いられる請求項１〜請求項３の何れか１項に記載の建物ユニットの外壁取付部の防水構造。
【発明の詳細な説明】
【技術分野】
【０００１】
本発明は、建物ユニットの外壁取付部の防水構造に関する。
【背景技術】
【０００２】
下記特許文献１には、軽量気泡コンクリート製の外壁面材で覆われたユニット建物の外壁から突出するバルコニー、庇等の突出部を建物に取り付けるための取付部の防火構造が開示されている。この構造によれば、突出部は、取付強度を確保するために、取付部を介して建物の骨組みに直接取り付けられる。このため、外壁には、取付部を建物の屋外側に開放するための開口部が形成されると共に、取付部には、防火性を備えた外壁とは別個に防火構造が設けられている。
【０００３】
具体的には、外壁面材と異なる材質の防火面材が、取付部に応じた形状の下地フレームを介して建物に取り付けられると共に、防火面材の屋外側の面が、複数枚のカバー面材で覆われることにより、取付部の防火構造が構成されている。これにより、防火性を確保したうえで、外壁面材の製造効率が損なわれず、かつ取付部の製造が容易に行えるため、建物ユニットの生産性を向上することができる。
【先行技術文献】
【特許文献】
【０００４】
【特許文献１】特開平８−１９９７０７
【発明の概要】
【発明が解決しようとする課題】
【０００５】
しかしながら、特許文献１に記載された取付部の防水構造は、カバー面材と防火面材との間にカバー面材の端縁に沿って防水テープが介装されると共に、取付部の外形に応じて組み付けられた下地フレームの端縁に沿って防水テープが接着されている。このように、防水テープを用いて防水処理を行うためには、防水テープをカバー面材及び下地フレームの端縁に沿って貼り付ける必要があるため作業が煩雑となる。そこで、コーキング処理により、開口部から屋外側へ向けて露出されたブラケットの外周部を防水処理することも考えられるが、コーキング処理には目地幅及び目地深さの管理が必要となるため、枠材を設けて、開口部の位置及び寸法の精度を厳密に管理する必要がある。さらに、前処理として、コーキングの剥離防止のための開口部周辺のプライマ処理及びコーキング処理を施さない部分の養生作業が必要となると共に、後処理として、コーキング処理後の乾燥に時間を要する。このため、コーキング処理による防水処理は、作業工数及びコストが増加する。このように、簡易な方法により防水処理を行うことができ、しかも作業工数の低減を図るためには、建物ユニットの外壁取付部の防水構造に改善の余地がある。
【０００６】
本発明は、上記事実を考慮し、簡易な方法により確実に防水処理を行うことができ、しかも作業工数及びコストを低減することができる建物ユニットの外壁取付部の防水構造を得ることが目的である。
【課題を解決するための手段】
【０００７】
第１の態様に係る建物ユニットの外壁取付部の防水構造は、建物ユニットの躯体フレームの屋外側に配置されると共に前記躯体フレームの外側面から前記屋外側へ向けて突出されたブラケットと、前記建物ユニットの前記躯体フレームの前記屋外側に取り付けられる外壁と、前記外壁に設けられ、前記建物ユニットに前記外壁が取り付けられる際に前記ブラケットが挿入される開口部と、伸長可能な基材を用いて形成され、粘着層が設けられた前記基材の外周部が前記外壁の屋内側の面に接着され、前記開口部を覆って屋外から前記外壁の前記屋内側への水の浸入を防止する防水テープと、を備えている。
【０００８】
第１の態様に係る建物ユニットの外壁取付部の防水構造では、屋外から外壁の屋内側への水の浸入を防止するために防水テープが開口部を覆っている。防水テープは、伸長可能な基材を用いて形成され、粘着層が設けられた外周部が外壁の屋内側の面に接着されるため、外壁とブラケットとの間に隙間を作らない。これにより、外壁とブラケットとの隙間に沿った防水テープの接着が不要となり、建物ユニットの外壁取付部の防水処理を簡易に行うことができる。
【０００９】
また、第１の態様によれば、防水テープは開口部を覆うように外壁の屋内側の面に接着されればよいため、建物ユニットへの外壁の取付け前に、開口部への枠材の配設並びに開口部の位置及び寸法の精度の管理が不要になると共にプライマ処理及び養生作業が不要になる。これに加えて、外壁を取り付けた後に、開口部周辺へのコーキング材の充填とその乾燥時間のように次の作業工程を実行するまでの待ち時間が発生しない。このように、簡易な方法により防水処理を行うことができ、しかも建物ユニットに外壁を取り付ける作業工数及びコストを低減することができる。
【００１０】
さらに、第１の態様によれば、外壁の屋内側の面に接着された防水テープは、外壁の開口部に挿入されたブラケットによって屋外側へ向けて押し出される。この際、伸長可能な基材を用いて形成された防水テープは、ブラケットの形状に合わせて開口部から屋外側へ向けて伸長されるため、防水テープには過度に応力は発生しない。このため、防水テープは亀裂を生じることなく伸長されると共に防水テープの外周部と外壁との間に脆弱な部分を作らない。これにより、防水テープは、外壁に対する防水処理を確実にすることができる。
【００１１】
第２の態様に係る建物ユニットの外壁取付部の防水構造は、第１の態様において、前記防水テープは、前記開口部に挿入された前記ブラケットが当接する前記外周部の内側部分である中央部に、当該当接する部分と略同一形状を有する伸縮抑制フィルムが配置されることで構成されている。
【００１２】
第２の態様に係る建物ユニットの外壁取付部の防水構造によれば、開口部に挿入されたブラケットが当接する防水テープの外周部の内側部分である中央部には、当該当接する部分と略同一形状の伸縮抑制フィルムが配置されている。このため、ブラケットが開口部に挿入されて、防水テープが伸長されても、伸縮抑制フィルムが配置された中央部は伸長されない。このため、開口部が防水テープに覆われていることにより屋外側から直視することができないブラケットの位置を屋外側から確認することができる。これにより、外壁を建物ユニットに取り付ける際の位置合わせを容易にすることができる。
【００１３】
第３の態様に係る建物ユニットの外壁取付部の防水構造は、第２の態様において、前記伸縮抑制フィルムには、熱可塑性樹脂が用いられる。
【００１４】
第３の態様に係る建物ユニットの外壁取付部の防水構造によれば、伸縮抑制フィルムに熱可塑性樹脂が用いられているため、伸長可能な防水テープの基材と比較して引張に対する剛性を高くすることができる。このため、ブラケットが開口部に挿入された場合に、防水テープの中央部以外の部分は伸張されても、中央部は伸長されない。これにより、外壁を建物ユニットに取り付ける際の位置合わせを容易かつ確実にすることができる。
【００１５】
第４の態様に係る建物ユニットの外壁取付部の防水構造は、第１の態様から第３の態様の何れか１つの態様において、前記防水テープには、基材に伸長可能なブチルテープが用いられる。
【００１６】
第４の態様に係る建物ユニットの外壁取付部の防水構造によれば、防水テープの基材には、伸長可能なブチルテープが用いられているため、外壁に対する粘着力と耐候性能を十分に確保することができる。これにより、外壁に対する粘着力と屋外で使用された場合の耐久性を十分に確保したうえで防水テープの外壁に対する防水性能を安定して確保することができる。
【発明の効果】
【００１７】
以上説明したように、第１の態様に係る建物ユニットの外壁取付部の防水構造は、簡易な方法により確実に防水処理を行うことができ、しかも作業工数及びコストを低減することができるという優れた効果を有する。
【００１８】
第２の態様に係る建物ユニットの外壁取付部の防水構造は、外壁とブラケットの当接部との位置合わせを容易にすることができるという優れた効果を有する。
【００１９】
第３の態様に係る建物ユニットの外壁取付部の防水構造は、外壁を建物ユニットに取り付ける際の位置合わせを容易かつ確実にすることができるという優れた効果を有する。
【００２０】
第４の態様に係る建物ユニットの外壁取付部の防水構造は、外壁に対する粘着力と耐候性能を十分に確保したうえで防水テープの外壁に対する防水性能を安定して確保できるという優れた効果を有する。
【図面の簡単な説明】
【００２１】
【図１】本実施形態に係る建物ユニットの外壁取付部の防水構造を適用したユニット建物の一例であり、（Ａ）はキープランを示す概略平面図であり、（Ｂ）は骨格を示す概略斜視図である。
【図２】図１のＡ線矢視部分での防水構造を、袖壁を取り除いた状態で屋外側から見た側面図である。
【図３】図２に示される３−３線に沿って外壁取付部の防水構造を建物水平方向に切断した状態を示す平面図である。
【図４】図３に示される４−４線に沿って外壁取付部の防水構造を建物上下方向に切断した状態を示す縦断面図である。
【図５】本実施形態に係る防水テープを取り付けた外壁の建物の躯体フレームへの設置方法を示す外観斜視図である。
【図６】本実施形態に係る建物ユニットの変形例のキープランを示す平面図である。
【図７】本実施形態に係る建物ユニットの変形例の骨格を示す概略斜視図である。
【発明を実施するための形態】
【００２２】
以下、図１〜図５を用いて、本発明に係る建物ユニットの外壁取付部の防水構造の一実施形態について説明する。
【００２３】
最初に、ユニット建物１０及びこれを構成する建物ユニット１２について概説する。
【００２４】
図１（Ａ）、（Ｂ）には、本実施形態に係る建物ユニットの外壁取付部の防水構造を適用したユニット建物１０の概略図が示されている。これらの図に示されるように、ユニット建物１０は、図示しない基礎上に複数個の建物ユニット１２を据付けることにより構成された一階部分１４と、一階部分１４の建物ユニット１２上に建物ユニット１２を据付けることにより構成された二階部分１６と、二階部分１６の桁側の一つの建物ユニット１２の上端部から張り出された庇１８と、によって構成されている。
【００２５】
上述したユニット建物１０を構成する建物ユニット１２は、直方体形状に組まれたラーメン構造の躯体フレーム２０と、この躯体フレーム２０の屋外側の側面に配設された外壁パネル２２（図５参照）と、外壁パネル２２の屋内側に配設された図示しない内壁パネルと、を含んで構成されている。
【００２６】
躯体フレーム２０は、四隅に立設された４本の柱２４と、４本の柱２４の上端部に接合されて天井面を構成する天井フレーム２６と、４本の柱２４の下端部に接合されて床面を構成する図示しない床フレームと、を含んで構成されている。柱２４は、中空方形の断面形状とされた鋼管柱が用いられている。天井フレーム２６は、長短二種類の天井大梁２８、３０と、桁側の天井大梁２８間に所定の間隔で架け渡された複数の天井小梁（図示省略）とによって構成されている。床フレームも天井フレーム２６と同様に構成されている。なお、図５では、柱２４の上端部に天井大梁２８の長手方向の端部と天井大梁３０の長手方向の端部が隣合う二側面に接合されているが、実際には柱２４の上端部は柱２４から分離されて天井仕口とされている。床フレーム側も天井フレーム２６側と同様に構成されている。
【００２７】
一方、外壁パネル２２は、出隅部に配置された柱２４の廻りに配設された外壁としての第１外壁パネル（コーナーパネル）３２と、この第１外壁パネル３２に隣接して配設された第２外壁パネル（外周パネル）３４と、を含んで構成されている。第１外壁パネル３２は、平面視でＬ字状に形成された第１外壁材３６と、この第１外壁材３６の左右の両端部の裏面にそれぞれ配設された金属製かつＬ字状の第１外壁フレーム３８と、を備えている。第１外壁フレーム３８の立設面にはボルト挿通孔が形成されている。第２外壁パネル３４は、平面視で直線状に形成された第２外壁材４０と、この第２外壁材４０の左右の両端部の裏面にそれぞれ配設された金属製かつコ字状の第２外壁フレーム４２と、を備えている。第２外壁フレーム４２には、第１外壁フレーム３８のボルト挿通孔と同軸上にウエルドナット４４が予め溶着されている。第２外壁パネル３４は、第２外壁フレーム４２を天井大梁２８（又は天井大梁３０）及び桁側の床大梁（又は妻側の床大梁）に取付けることにより、躯体フレーム２０の側面に配設されている。一方、第１外壁パネル３２は、第１外壁フレーム３８を第２外壁フレーム４２のウェブ面に当接させて、取付ボルト４６をウエルドナット４４に螺合させることにより、第２外壁パネル３４に固定されている。
【００２８】
上述したユニット建物１０の二階部分１６の建物ユニット１２の上端部には、ロジアの一種である庇１８が設けられている。以下、庇１８と第１外壁パネル３２との接続部（図１（Ａ）、（Ｂ）のＡ線矢視部）の防水構造について詳細に説明する。
【００２９】
図３〜図５に示されるように、柱２４の上端部の屋外側の側面には、平面視でコ字状に形成されたブラケット５０が溶接により固定されている。ブラケット５０は、柱２４の上端部の屋外側の側面に対して平行に配置された矩形平板状の頂部５０Ａと、頂部５０Ａの幅方向両端部から柱２４側へ屈曲された左右一対の脚部５０Ｂと、によって構成されている。頂部５０Ａの幅方向中間部には上下一対のボルト挿通孔５２が形成されている。また、頂部５０Ａの裏面には、各ボルト挿通孔５２と同軸上に上下一対のウエルドナット５４が予め溶着されている。
【００３０】
上述したように柱２４の廻りには、平面視でＬ字状に形成された第１外壁パネル３２が配設されている。第１外壁パネル３２の第１外壁材３６においてブラケット５０と対向する位置には、ブラケット５０よりも一回り大きい矩形状に形成された開口部５６が形成されている。この開口部５６内へ上述したブラケット５０の頂部５０Ａ及び一対の脚部５０Ｂの基端部以外の部分が挿入されている。なお、ブラケット５０が開口部５６内へ挿入された状態で、頂部５０Ａの端面が第１外壁材３６の意匠面と略面一になるようにブラケット５０の高さが決められている。
【００３１】
上述したブラケット５０の頂部５０Ａに、庇１８が備える梁部材（広義には、「ロジア（天井）大梁」として把握される要素である。）６０の基端部が締結固定されている。具体的には、梁部材６０には溝形鋼が用いられており、その長手方向の一端部（開放部分）には、当該開放部分を塞ぐように矩形平板状のベースプレート６２が溶接により取り付けられている。なお、ベースプレート６２の長手方向寸法は、梁部材６０の梁成よりも長く設定されている。このベースプレート６２にも、上下一対のウエルドナット５４と同軸上に図示しないボルト挿通孔が形成されている。そして、梁部材６０側から取付ボルト６４がベースプレート６２のボルト挿通孔及びブラケット５０の頂部５０Ａのボルト挿通孔５２内へ挿入されてウエルドナット５４に螺合されることにより、庇１８の梁部材６０の基端部がブラケット５０の頂部５０Ａに締結固定されている。
【００３２】
上述した庇１８の梁部材６０の基端部（ベースプレート６２）とブラケット５０の頂部５０Ａとの間には、防水テープ７０が介在されている。防水テープ７０は、開口部５６よりも大きな矩形状に裁断されたブチルテープ７２と、このブチルテープ７２の中央部に配設された矩形状の伸縮抑制フィルム７４と、によって構成されている。
【００３３】
ブチルテープ７２は止水性、伸縮性及び耐候性を有しており、防水テープ７０の基材を構成している。また、ブチルテープ７２は、屋外側の面７０Ａと屋内側の面７０Ｂとを有しており、このうち屋外側の面には粘着層が設けられている。なお、本実施形態では、防水テープ７０の基材としてブチルテープ７２を用いたが、これに限らず、止水性、伸縮性、対候性及び（片面に）粘着性を有するシート材であれば適用可能である。
【００３４】
一方、伸縮抑制フィルム７４は、伸縮性を有さないか殆ど有さないフィルムによって構成されている。伸縮抑制フィルム７４としては、例えばポリプロピレン樹脂やポリオレフィン樹脂等の熱可塑性樹脂を用いることが可能である。なお、本実施形態では、伸縮抑制フィルム７４としてポリプロピレン樹脂やポリオレフィン樹脂等の熱可塑性樹脂を用いたが、これに限らず、ブチルテープ７２の中央部の伸縮抑制効果が得られるフィルム材であれば適用可能である。伸縮抑制フィルム７４は、ブラケット５０の頂部５０Ａと略同一の大きさを有している。
【００３５】
上述したようにブチルテープ７２の屋外側の面には粘着層が設けられており、その中央部に伸縮抑制フィルム７４が貼り付けられている。これにより、中央部７０Ｘに伸縮抑制フィルム７４が配置されかつ外周部７０Ｙに粘着層が設けられた防水テープ７０が構成されている。なお、防水テープ７０の中央部７０Ｘには、前述したウエルドナット５４と同軸上に上下一対のボルト挿通孔７６が形成されている。
【００３６】
上記構成の防水テープ７０は、その外周部７０Ｙが第１外壁パネル３２の開口部５６の周縁部に接着されている。これにより、開口部５６は、防水テープ７０によって塞がれている。庇１８の梁部材６０の基端部がブラケット５０の頂部５０Ａに締結固定された状態では、ブラケット５０が開口部５６内へ挿入された際にブチルテープ７２の外周部７０Ｙが伸長されて、この外周部伸長状態でブラケット５０の頂部５０Ａと梁部材６０のベースプレート６２との間に伸縮抑制フィルム７４が介在（挟持）されて取付ボルト６４がウエルドナット５４に締結固定されている。
【００３７】
（本実施形態の作用及び効果）
【００３８】
次に、従来技術と対比しつつ本実施形態の作用及び効果について説明する。
【００３９】
従来技術のようにコーキング処理により防水処理を行う場合は、コーキング処理の前段取りとして、開口部５６の木口へのプライマー処理（コーキングの剥離防止処理）及び養生作業が必要となるため、施工に手間がかかる。
【００４０】
これに対し、本実施形態では、防水テープ７０は、開口部５６を覆うように第１外壁材３６の屋内側の面に接着すればよいため、開口部５６の木口へのプライマー処理及び養生作業が不要になる。しかも、防水テープ７０はその片面に粘着層を有しているため、伸縮抑制フィルム７４が配置された中央部７０Ｘを除いた外周部７０Ｙで第１外壁材３６に接着することが可能である。このため、第１外壁材３６に防水テープ７０の貼り付け位置の位置出しをすることなく第１外壁材３６に防水テープ７０をワンタッチで貼り付けることができる。これにより、簡易に防水処理を行うことができる。
【００４１】
また、コーキング処理の場合は、躯体フレーム２０に第１外壁パネル３２を取り付ける事前準備として、目地幅及び目地深さの管理が必要となるため、開口部５６の位置及び寸法の精度並びに第１外壁パネル３２の組付精度を厳密に管理する必要がある。さらに、コーキング処理をする前に、開口部５６のプライマ処理（コーキングの剥離防止処理）及び養生作業が必要となる。
【００４２】
これに対し、本実施形態によれば、第１外壁パネル３２に設けられる開口部５６は、ブラケット５０を挿入することができればよいため、開口部５６の位置及び寸法並びに第１外壁パネル３２の組付精度に高い精度は要求されない。また、開口部５６を介して第１外壁パネル３２を躯体フレーム２０に取り付ける際に、コーキング処理を行う場合のような施工管理は不要となる。さらに、躯体フレーム２０に第１外壁材３６を取り付ける前の開口部５６周辺のプライマ処理及び養生作業が不要となる。
【００４３】
さらに、コーキング処理の場合は、開口部５６に第１外壁パネル３２を取り付けた直後の処理として、開口部５６周辺へのコーキング材の充填が必要になると共にコーキング材の乾燥に時間がかかるため、次の作業工程実施までのリードタイムが必要になる。
【００４４】
これに対し、本実施形態では、防水テープ７０が接着された開口部５６にブラケット５０を挿入するだけの構成であるため、第１外壁材３６の取付け後に、開口部５６の周辺へのコーキング材の充填等の作業が不要になる。さらに、コーキング材の乾燥時間のような次の作業工程までのリードタイムも発生しない。これにより、防水テープ７０の貼り付けに係る作業工数だけでなく、躯体フレーム２０に第１外壁材３６を取り付ける前後の作業工数及びコストを低減することができる。
【００４５】
また、本実施形態によると、第１外壁材３６の開口部５６を覆っている防水テープ７０は、第１外壁材３６の開口部５６に挿入されたブラケット５０によって屋外側へ押し出される。この際、ブチルテープ７２の伸縮性により防水テープ７０の外周部７０Ｙが開口部５６から屋外側へ向けて伸長されるため、防水テープ７０には過度に応力が発生しない。このため、防水テープ７０は亀裂を生じることなく伸長されると共に防水テープ７０の外周部７０Ｙと第１外壁材３６との間に脆弱な部分が生じない。これにより、防水テープ７０は、第１外壁材３６とブラケット５０との間を確実に防水することができる。
【００４６】
さらに、本実施形態では、防水テープ７０の中央部７０Ｘには、ブラケット５０の頂部５０Ａがブチルテープ７２に当接する部分に当該当接する部分と略同一形状の伸縮抑制フィルム７４が配置されている。このため、ブラケット５０の頂部５０Ａと防水テープ７０との位置合わせを容易に行うことができる。これにより、第１外壁パネル３２の躯体フレーム２０への取付けを容易にすることができる。
【００４７】
また、伸縮抑制フィルム７４が配置された中央部７０Ｘは、開口部５６にブラケット５０が挿入されても伸長されないため、防水テープ７０に形成されたボルト挿通孔７６は、ブラケット５０の開口部５６への挿入後も、ボルト挿通孔７６と対向した状態が保持されている。このため、屋外側から直接視認することができないブラケット５０のボルト挿通孔５２の位置を確実に把握することができる。これにより、庇１８の梁部材６０のブラケット５０への取付けを容易に行うことができる。
【００４８】
これに加えて、庇１８の梁部材６０とブラケット５０とを締結している取付ボルト６４は、ボルト挿通孔７６を介してウエルドナット５４に螺入されるため、防水テープ７０によって、取付ボルト６４とボルト挿通孔５２の間の防水性能が向上する。
【００４９】
以上を総括すると、本実施形態に係る建物ユニットの外壁取付部の防水構造によれば、簡易な方法により確実に防水処理を行うことができ、しかも作業工数及びコストを低減することができる。
【００５０】
さらに、本実施形態によれば、防水テープ７０の中央部７０Ｘを形成する伸縮抑制フィルム７４には、熱可塑性樹脂が用いられているため、防水テープ７０の基材であるブチルテープ７２と比較して引張に対する剛性を高くすることができる。このため、ブラケット５０が開口部５６に挿入された場合に、中央部７０Ｘ以外の部分は伸長されても、中央部７０Ｘは伸長されない。これにより、第１外壁パネル３２の躯体フレーム２０への取り付けを容易かつ確実にすることができる。
【００５１】
また、本実施形態によれば、防水テープ７０の基材として用いられている伸長可能なブチルテープ７２は、粘着力と耐候性能を十分に有している。このため、第１外壁材３６に対する粘着力と屋外で使用された場合の耐久性を十分に確保したうえで防水テープ７０の第１外壁材３６に対する防水性能を安定して確保することができる。
【００５２】
なお、上述した本実施形態は、ユニット建物１０の二階部分１６の第１外壁パネル３２及び第２外壁パネル３４に、庇１８を取り付ける場合の防水構造として説明したが、これに限らず、一階部分１４の第１外壁パネル３２及び第２外壁パネル３４に本発明を適用してもよいし、セットバック部を利用したロジア部８０（図６のＢ線矢視部参照）及びバルコニー部９０（図７のＣ線矢視部参照）等をユニット建物の外壁部に取り付ける場合の防水構造に本発明を適用してもよい。
【００５３】
また、上述した本実施形態は、ブラケット５０は、躯体フレーム２０の柱２４に配置されると共に第１外壁パネル３２の第１外壁材３６に設けられた開口部５６に挿入されるものとして説明したが、これに限らず、天井大梁２８、３０又は床大梁に配置されると共に第２外壁パネルの外壁材に設けられた開口部にブラケットを挿入するようにしてもよい。
【００５４】
さらに、上述した本実施形態では、ブチルテープ７２の中央部に伸縮抑制フィルム７４を貼り付けることで防水テープ７０を構成したが、これに限らず、伸縮抑制フィルム７４は省略してもよい。この場合、防水テープの中央部がブラケットに押された際に伸長するため、予めボルト挿通孔を形成してもブラケットのボルト挿通孔とはずれてしまう。このため、この態様によると、施工性が多少下がるものの、ブチルテープは存在するため、防水性能は確保される。
【符号の説明】
【００５５】
１２      建物ユニット
２０      躯体フレーム
３２      第１外壁パネル（外壁）
５０      ブラケット
５６      開口部
７０      防水テープ
７０Ｘ      中央部
７０Ｙ      外周部
７２      ブチルテープ
７４      伸縮抑制フィルム
【図１】
2019078087.tif 000003
【図２】
2019078087.tif 000004
【図３】
2019078087.tif 000005
【図４】
2019078087.tif 000006
【図５】
2019078087.tif 000007
【図６】
2019078087.tif 000008
【図７】
2019078087.tif 000009